(57)【要約】【課題】  ランプユニットのランプハウジングに対する組付作業における作業性の向上を図る。【解決手段】  一方に開口６ａを有する配置凹部６が形成されたランプハウジング２と、ランプハウジングの開口を覆うカバー３と、配置凹部に配置されたランプ構造体１３と、配置凹部に配置されランプ構造体が取り付けられる取付部材１１とを備え、ランプ構造体は左右方向において並んで配置される複数のランプユニット１４、１４、１４によって構成され、ランプユニットは光を出射する光源３２、３３と光源から出射される光を反射する反射ベース１５と光源が搭載され反射ベースに取り付けられる光源用基板１６、１７とを有し、反射ベースに光源用基板が取り付けられた状態において複数の反射ベースがそれぞれ取付部材に取り付けられ、取付部材に複数の反射ベースが取り付けられた状態において取付部材が配置用凹部に挿入されてランプハウジングに取り付けられる。【選択図】図１
2015082366.tif 000002
【特許請求の範囲】
【請求項１】
一方に開口を有する配置凹部が形成されたランプハウジングと、
前記ランプハウジングの前記開口を覆うカバーと、
前記配置凹部に配置されたランプ構造体と、
前記配置凹部に配置され前記ランプ構造体が取り付けられる取付部材とを備え、
前記ランプ構造体は左右方向において並んで配置される複数のランプユニットによって構成され、
前記ランプユニットは光を出射する光源と前記光源から出射される光を反射する反射ベースと前記光源が搭載され前記反射ベースに取り付けられる光源用基板とを有し、
前記反射ベースに前記光源用基板が取り付けられた状態において複数の前記反射ベースがそれぞれ前記取付部材に取り付けられ、
前記取付部材に複数の前記反射ベースが取り付けられた状態において前記取付部材が前記配置用凹部に挿入されて前記ランプハウジングに取り付けられる
車輌用灯具。
【請求項２】
前記配置凹部に前記光源の点消灯制御を行う制御回路基板が配置された
請求項１に記載の車輌用灯具。
【請求項３】
前記光源用基板と前記制御回路基板が前記取付部材を挟んで反対側に配置された
請求項２に記載の車輌用灯具。
【発明の詳細な説明】
【技術分野】
【０００１】
本発明は、ランプハウジングとランプハウジングの開口を覆うカバーとを備えランプハウジングに形成された配置凹部に複数のランプユニットが配置された車輌用灯具についての技術分野に関する。
【先行技術文献】
【特許文献】
【０００２】
【特許文献１】特開平６−２６２９７７号公報
【背景技術】
【０００３】
車輌用灯具には、例えば、カバーとランプハウジングによって構成された灯具外筐の内部に、それぞれ光源を有する複数のランプユニットが配置されたものがある（例えば、特許文献１参照）。
【０００４】
特許文献１に記載された車輌用灯具にあっては、一方に開口を有する配置凹部が形成されたランプハウジングとランプハウジングを覆うカバーとによって灯具外筐が構成され、灯具外筐の内部に複数のランプユニットが左右に並んで配置されている。
【発明の概要】
【発明が解決しようとする課題】
【０００５】
ところが、特許文献１に記載された車輌用灯具にあっては、複数のランプユニットが配置凹部にそれぞれ挿入されてランプハウジングの各位置に各別に取り付けられるため、各ランプユニットをそれぞれ配置凹部に順次挿入し挿入したランプユニットを順次ランプハウジングに取り付ける作業を行う必要がある。
【０００６】
従って、配置凹部の限られたスペースに取付用の治具や手を挿入して各ランプユニットのランプハウジングに対する組付を順次行うことになり、ランプユニットの組付作業における作業性が悪いという問題がある。
【０００７】
そこで、本発明車輌用灯具は、上記した問題点を克服し、ランプユニットのランプハウジングに対する組付作業における作業性の向上を図ることを目的とする。
【課題を解決するための手段】
【０００８】
第１に、本発明に係る車輌用灯具は、一方に開口を有する配置凹部が形成されたランプハウジングと、前記ランプハウジングの前記開口を覆うカバーと、前記配置凹部に配置されたランプ構造体と、前記配置凹部に配置され前記ランプ構造体が取り付けられる取付部材とを備え、前記ランプ構造体は左右方向において並んで配置される複数のランプユニットによって構成され、前記ランプユニットは光を出射する光源と前記光源から出射される光を反射する反射ベースと前記光源が搭載され前記反射ベースに取り付けられる光源用基板とを有し、前記反射ベースに前記光源用基板が取り付けられた状態において複数の前記反射ベースがそれぞれ前記取付部材に取り付けられ、前記取付部材に複数の前記反射ベースが取り付けられた状態において前記取付部材が前記配置用凹部に挿入されて前記ランプハウジングに取り付けられるものである。
【０００９】
これにより、複数のランプユニットが取付部材に取り付けられた状態において取付部材がランプハウジングの配置凹部に挿入されてランプハウジングに取り付けられることにより複数のランプユニットがランプハウジングに組み付けられる。
【００１０】
第２に、上記した本発明に係る車輌用灯具においては、前記配置凹部に前記光源の点消灯制御を行う制御回路基板が配置されることが望ましい。
【００１１】
これにより、光源用基板において発生する熱が少なくなる。
【００１２】
第３に、上記した本発明に係る車輌用灯具においては、前記光源用基板と前記制御回路基板が前記取付部材を挟んで反対側に配置されることが望ましい。
【００１３】
これにより、制御回路基板において発生する熱の光源に対する影響が取付部材によって抑制される。
【発明の効果】
【００１４】
本発明によれば、複数のランプユニットが取付部材に取り付けられた状態において取付部材がランプハウジングの配置凹部に挿入されてランプハウジングに取り付けられることにより複数のランプユニットがランプハウジングに組み付けられるため、ランプユニットのランプハウジングに対する組付作業における作業性の向上を図ることができる。
【図面の簡単な説明】
【００１５】
【図１】図２乃至図７と共に本発明の実施の形態を示すものであり、本図は、車輌用灯具の分解斜視図である。
【図２】カバー及びレンズを省略した状態で示す車輌用灯具の背面図である。
【図３】ランプハウジングの背面図である。
【図４】カバー及びレンズを取り付けた状態で示す図２のＩＶ−ＩＶ線に沿う断面図である。
【図５】カバー及びレンズを取り付けた状態で示す図２のＶ−Ｖ線に沿う断面図である。
【図６】カバー及びレンズを取り付けた状態で示す図２のＶＩ−ＶＩ線に沿う断面図である。
【図７】カバー及びレンズを取り付けた状態で示す図２のＶＩＩ−ＶＩＩ線に沿う断面図である。
【発明を実施するための形態】
【００１６】
以下に、本発明車輌用灯具を実施するための形態について添付図面を参照して説明する。
【００１７】
以下に示した実施の形態は、本発明車輌用灯具を種類の異なる複数の照射ランプとして機能するリアコンビネーションランプに適用したものである。尚、本発明の適用範囲はリアコンビネーションランプに限られることはなく、クリアランスランプ、テールランプ、ターンシグナルランプ、ストップランプ、デイタイムランニングランプ、コーナーリングランプ、ハザードランプ、ポジションランプ、バックランプ、フォグランプ等の単一の照射機能を有する車輌用灯具又はこれらの複数のランプとしての照射機能を有するコンビネーションランプである各種の車輌用灯具に広く適用することができる。
【００１８】
車輌用灯具１は、例えば、それぞれ車体の後端部における左右両側部に取り付けられて配置されている。
【００１９】
車輌用灯具１は、図１及び図２に示すように、ランプハウジング２とカバー３を備え、ランプハウジング２とカバー３によって灯具外筐４が構成され、灯具外筐４の内部空間が灯室５として形成されている。
【００２０】
ランプハウジング２は横長の形状に形成されている（図２及び図３参照）。ランプハウジング２は後方に開口された配置用凹部６を有し、配置用凹部６の開口６ａが横長の矩形状に形成されている。配置用凹部６はランプハウジング２の上端部を除く部分に形成されている。
【００２１】
ランプハウジング２には配置用凹部６の左右両端部にそれぞれ他の部分より後方へ突出された側方配置部７、８が設けられている。側方配置部７と側方配置部８にはそれぞれ上下に離隔してネジ挿通孔を有する取付部７ａ、７ａと取付部８ａ、８ａが設けられている。
【００２２】
ランプハウジング２の上端部は車体に取り付けられる被取付部９として設けられている。
【００２３】
ランプハウジング２の左右両側面にはそれぞれ円形状に形成されたサイド結合部２ａ、２ａが設けられている。車体の左右方向において外側に位置するサイド結合部２ａには図示しないサイドリフレクター用のレンズが取り付けられる。サイド結合部２ａにサイドリフレクター用のレンズが取り付けられることにより、外部から入射された光を再帰反射して標識として機能する側部のリフレックスリフレクターが構成される。
【００２４】
ランプハウジング２の前面部１０には側方配置部７と側方配置部８の間に、ネジ挿通孔を有し後方へ突出された円筒状の部分を有するベース取付部１０ａ、１０ａ、・・・が上下左右に離隔して設けられている。ランプハウジング２の前面部１０にはコード挿通孔１０ｂが形成されている。
【００２５】
ランプハウジング２の配置用凹部６には取付部材１１が配置されて前面部１０に取り付けられる（図１、図４及び図５参照）。
【００２６】
取付部材１１は横長の略矩形の板状に形成されている。取付部材１１には後面側にそれぞれネジ挿通孔を有する締結部１１ａ、１１ａ、・・・が上下左右に離隔して設けられている。取付部材１１には前面側にそれぞれネジ締結孔を有し前方へ突出された被取付突部１１ｂ、１１ｂ、・・・が上下左右に離隔して設けられている。
【００２７】
取付部材１１には前面側に制御回路基板１２が、例えば、ネジ止めによって取り付けられる。制御回路基板１２は後述する各光源の点消灯制御を行う制御回路を有し、図示しない多数の抵抗部品等の電子部品が搭載されており、光源の駆動時における発熱量が大きな部材である。制御回路基板１２は取付部材１１より一回り小さい横長の矩形状に形成され、取付部材１１の外周部を除く領域に対向した状態で取り付けられている。
【００２８】
取付部材１１には後面側にランプ構造体１３が、例えば、ネジ止めによって取り付けられる（図１、図４及び図６参照）。ランプ構造体１３は、例えば、三つのランプユニット１４、１４、１４によって構成され、ランプユニット１４、１４、１４は左右方向において並んで隣接して配置されている。尚、ランプユニット１４の数は複数であれば任意であり、二つのランプユニット１４、１４又は四つ以上のランプユニット１４、１４、・・・によってランプ構造体１３が構成されていてもよい。
【００２９】
ランプユニット１４は反射ベース１５と第１の光源用基板１６と第２の光源用基板１７とインナーレンズ１８とアウターレンズ１９とアッパーレンズ２０とを有している（図１参照）。
【００３０】
反射ベース１５は、図１、図５、図６及び図７に示すように、略前後方向を向き略平行四辺形状に形成された反射面部２１と反射面部２１の上端部から後方へ突出された上面部２２と反射面部２１の下端部から後方へ突出された下面部２３と反射面部２１の左右両側部からそれぞれ後方へ突出された側面部２４、２４と上面部２２の後端部に連続して設けられた上側反射部２５と反射面部２１の一部から後方へ突出された仕切部２６とを有している。
【００３１】
反射面部２１は仕切部２６によって二つの部分に仕切られており、第１の反射制御部２７と第１の反射制御部２７の下方及び側方に位置された第２の反射制御部２８とから成る。第１の反射制御部２７には上下左右に離隔して後方に開口された凹状の第１のリフレクター２９、２９、・・・が設けられ、第１のリフレクター２９、２９、・・・の前端部にはそれぞれ前後に貫通された光源配置孔２９ａ、２９ａ、・・・が形成されている。第２の反射制御部２８は横倒しの略Ｌ字状に形成され、連続して位置され後方に開口された凹状の第２のリフレクター３０、３０、・・・を有している。第２のリフレクター３０、３０、・・・の前端部にはそれぞれ前後に貫通された光源配置孔３０ａ、３０ａ、・・・が形成されている。
【００３２】
反射面部２１にはそれぞれネジ締結孔を有し前方へ突出されたネジ止めボス２１ａ、２１ａが上下に離隔して設けられている。
【００３３】
下面部２３には左右に並ぶ多数の拡散ステップ２３ａ、２３ａ、・・・が形成されている。
【００３４】
側面部２４、２４は上下方向に対して同じ方向に稍傾斜されている。
【００３５】
上側反射部２５には左右に並び後方に開口された凹状のリフレクター３１、３１、・・・が設けられ、リフレクター３１、３１、・・・の前端部にはそれぞれ前後に貫通された光源配置孔３１ａ、３１ａ、・・・が形成されている。
【００３６】
仕切部２６は横倒しの略Ｌ字状に形成され、両端部がそれぞれ上面部２２の左右方向における一端寄りの部分と一方の側面部２４の下端寄りの部分とに連続されている。
【００３７】
第１の光源用基板１６は反射ベース１５における反射面部２１の前面側に、例えば、ネジ止めによって取り付けられる。第１の光源用基板１６は反射面部２１に対向する略平行四辺形状に形成され、ボス挿通孔１６ａ、１６ａを有している。第１の光源用基板１６が反射ベース１５に取り付けられた状態においては、ボス挿通孔１６ａ、１６ａにそれぞれネジ止めボス２１ａ、２１ａが挿通される。
【００３８】
第１の光源用基板１６の後面には上下左右に離隔して第１の光源３２、３２、・・・が搭載されている。第１の光源３２、３２、・・・としては、例えば、発光ダイオード（ＬＥＤ）が用いられており、第１の光源３２、３２、・・・からはそれぞれ後方へ向けて光が出射される。
【００３９】
第１の光源３２、３２、・・・は、第１の光源用基板１６が反射面部２１に取り付けられた状態において、それぞれ反射面部２１の光源配置孔２９ａ、２９ａ、・・・又は光源配置孔３０ａ、３０ａ、・・・に配置される。従って、第１の光源３２、３２、・・・から出射された光の一部はそれぞれ第１の反射制御部２７の第１のリフレクター２９、２９、・・・又は第２の反射制御部２８の第２のリフレクター３０、３０、・・・で反射されて後方へ向かう。
【００４０】
第２の光源用基板１７は反射ベース１５における上側反射部２５の前面側に、例えば、ネジ止めによって取り付けられる。第２の光源用基板１７は上側反射部２５に対向する横長の略矩形状に形成されている。
【００４１】
第２の光源用基板１７の後面には左右に離隔して第２の光源３３、３３、・・・が搭載されている。第２の光源３３、３３、・・・としては、例えば、発光ダイオード（ＬＥＤ）が用いられており、第２の光源３３、３３、・・・からはそれぞれ後方へ向けて光が出射される。
【００４２】
第２の光源３３、３３、・・・は、第２の光源用基板１７が上側反射部２５に取り付けられた状態において、それぞれ上側反射部２５の光源配置孔３１ａ、３１ａ、・・・に配置される。従って、第２の光源３３、３３、・・・から出射された光の一部はそれぞれリフレクター３１、３１、・・・で反射されて後方へ向かう。
【００４３】
インナーレンズ１８は、例えば、無色透明な材料によって第２の反射制御部２８の形状に応じた横倒しの略Ｌ字状にされ、前方に開口する形状に形成されている。インナーレンズ１８は反射面部２１の後面側に取り付けられ、インナーレンズ１８によって第２の反射制御部２８が後方から覆われる。
【００４４】
アウターレンズ１９は、例えば、有色透明な材料によってインナーレンズ１８より一回り大きい横倒しの略Ｌ字状にされ、前方に開口する形状に形成されている。アウターレンズ１９は反射面部２１の後面側に取り付けられ、アウターレンズ１９によってインナーレンズ１８が後方から覆われる。
【００４５】
従って、第１の光源３２、３２、・・・から出射された光はインナーレンズ１８とアウターレンズ１９を順に透過されて後方へ向かう。
【００４６】
アッパーレンズ２０は、例えば、有色透明な材料によって横長の形状にされ、前方に開口する形状に形成されている。アッパーレンズ２０は上側反射部２５の後面側に取り付けられ、アッパーレンズ２０によって上側反射部２５が後方から覆われる。
【００４７】
従って、第２の光源３３、３３、・・・から出射された光はアッパーレンズ２０を透過されて後方へ向かう。
【００４８】
上記のように構成されたランプユニット１４は、取付部材１１の締結部１１ａ、１１ａをそれぞれ前方から挿通された取付ネジ５０、５０が反射ベース１５のネジ止めボス２１ａ、２１ａにそれぞれ螺合されることにより取付部材１１に取り付けられる。ランプユニット１４、１４、１４が取付部材１１に取り付けられた状態においては、隣り合うランプユニット１４、１４、１４の側面部２４、２４、・・・が左右方向において対向して位置され、ランプユニット１４、１４、１４が隣接される。
【００４９】
ランプユニット１４、１４、１４が取り付けられた取付部材１１は、ランプハウジング２のベース取付部１０ａ、１０ａ、・・・をそれぞれ前方から挿通されたネジ部材６０、６０、・・・が取付部材１１の被取付突部１１ｂ、１１ｂ、・・・にそれぞれ螺合されることによりランプハウジング２に取り付けられる。取付部材１１がランプハウジング２に取り付けられることにより、取付部材１１とランプユニット１４、１４、１４が配置用凹部６において側方配置部７と側方配置部８の間に配置される。
【００５０】
制御回路基板１２には図示しない接続コードが接続されており、接続コードはランプハウジング２の前面部１０に形成されたコード挿通孔１０ｂを挿通されて図示しない電源回路に接続される。
【００５１】
ランプハウジング２の側方配置部７には第１の配置体３４が取り付けられる（図１及び図２参照）。第１の配置体３４は反射体３５と第１のレンズ３６と第２のレンズ３７と第３の光源用基板３８を有している。
【００５２】
反射体３５は側方配置部７に対向する縦長の形状にされ、下端部を除き上方へ行くに従って左右方向における幅が小さくなる形状に形成されている。反射体３５は、左右方向における一方の側縁が上下方向に延び、左右方向における他方の側縁が下端部を除き上方へ行くに従って一方の側縁に近付くように傾斜され反射ベース１５の一方の側面部２４に対向する形状に形成されている。
【００５３】
反射体３５は一方の側縁側に第１の反射部３９が設けられ他方の側縁側に第２の反射部４０が設けられている。第２の反射部４０には上下に連続して位置され後方に開口された凹状の反射面４１、４１、・・・が設けられている。反射面４１、４１、・・・の前端部にはそれぞれ前後に貫通された光源配置孔４１ａ、４１ａ、・・・が形成されている。
【００５４】
反射体３５にはそれぞれネジ締結孔を有し前方へ突出されたネジ止め突部３５ａ、３５ａが上下に離隔して設けられている。
【００５５】
第１のレンズ３６は縦長の形状に形成され、反射体３５に第１の反射部３９を後方から覆う状態で取り付けられる。反射体３５に第１のレンズ３６が取り付けられることにより、外部から入射された光を再帰反射して標識として機能する後部のリフレックスリフレクターが構成される。
【００５６】
第２のレンズ３７は縦長の略三角形状に形成され、反射体３５に第２の反射部４０を後方から覆う状態で取り付けられる。
【００５７】
第３の光源用基板３８は反射体３５の前面側に、例えば、ネジ止めによって取り付けられる。第３の光源用基板３８の後面には上下に離隔して第３の光源４２、４２、・・・が搭載されている。第３の光源４２、４２、・・・としては、例えば、発光ダイオード（ＬＥＤ）が用いられており、第３の光源４２、４２、・・・からはそれぞれ後方へ向けて光が出射される。
【００５８】
第３の光源４２、４２、・・・は、第３の光源用基板３８が反射体３５に取り付けられた状態において、それぞれ第２の反射部４０の光源配置孔４１ａ、４１ａ、・・・に配置される。従って、第３の光源４２、４２、・・・から出射された光の一部は反射面４１、４１、・・・で反射されて後方へ向かい、第２のレンズ３７を透過されてバックアップランプとしての光が後方へ照射される。
【００５９】
第１の配置体３４は、ランプハウジング２の側方配置部７に設けられた取付部７ａ、７ａを前方から挿通された図示しない取付用ネジが反射体３５のネジ止め突部３５ａ、３５ａに螺合されることによりランプハウジング２に取り付けられて配置用凹部６に配置される。第１の配置体３４が配置用凹部６に配置された状態においては、反射体３５の左右方向における他方の側縁がランプユニット１４、１４、１４のうち最も第１の配置体３４側に位置する側面部２４に対向し、ランプユニット１４と第１の配置体３４が左右方向において隣接して位置される。
【００６０】
ランプハウジング２の側方配置部８には第２の配置体４３が取り付けられる。
【００６１】
第２の配置体４３は、例えば、灯具外筐４の内部に配置された構造の一部を遮蔽するエクステンションとして用いられている。第２の配置体４３は側方配置部８に対向する縦長の形状にされ、上端部を除き下方へ行くに従って左右方向における幅が小さくなる形状に形成されている。第２の配置体４３は、左右方向における一方の側縁が上端部を除き下方へ行くに従って他方の側縁に近付くように傾斜され反射ベース１５の他方の側面部２４に対向する形状に形成され、左右方向における他方の側縁が上下方向に延びている。第２の配置体４３は第１の配置体３４に対して上下対称な形状に形成されている。
【００６２】
第２の配置体４３にはそれぞれネジ締結孔を有し前方へ突出されたネジ止め部４３ａ、４３ａが上下に離隔して設けられている。
【００６３】
第２の配置体４３は、ランプハウジング２の側方配置部８に設けられた取付部８ａ、８ａを前方から挿通された図示しない取付用ネジがネジ止め部４３ａ、４３ａに螺合されることによりランプハウジング２に取り付けられて配置用凹部６に配置される。第２の配置体４３が配置用凹部６に配置された状態においては、第２の配置体４３の左右方向における一方の側縁がランプユニット１４、１４、１４のうち最も第２の配置体４３側に位置する側面部２４に対向し、ランプユニット１４と第２の配置体４３が左右方向において隣接して位置される。
【００６４】
ランプユニット１４、１４、１４の第１の光源用基板１６、１６、１６と第２の光源用基板１７、１７、１７と第３の光源用基板３８はそれぞれ制御回路基板１２に図示しない接続ケーブルを介して接続される。従って、電源回路から制御回路基板１２に供給された駆動電流が制御回路基板１２によって制御されて第１の光源用基板１６、１６、１６に搭載された第１の光源３２、３２、・・・、第２の光源用基板１７、１７、１７に搭載された第２の光源３３、３３、・・・及び第３の光源用基板３８に搭載された第３の光源４２、４２、・・・にそれぞれ供給される。
【００６５】
上記のようにランプハウジング２の配置用凹部６にランプユニット１４、１４、１４によって構成されたランプ構造体１３と第１の配置体３４と第２の配置体４３が配置された状態において、カバー３が配置用凹部６を覆う状態でランプハウジング２の後端部に後方から取り付けられる。
【００６６】
上記のように構成された車輌用灯具１において、ストップランプとして機能するときには、第１の光源用基板１６、１６、１６に搭載された全ての第１の光源３２、３２、・・・から光が出射され、テールランプとして機能するときには、第１の光源用基板１６、１６、１６に搭載された第１の光源３２、３２、・・・のうち第２の反射制御部２８に対応して位置されている第１の光源３２、３２、・・・から光が出射される。
【００６７】
尚、このとき第１の光源３２、３２、・・・から出射された光の一部が反射ベース１５の下面部２３に入射され、入射された光が拡散ステップ２３ａ、２３ａ、・・・によって拡散されて帯状の光が視認可能とされる。
【００６８】
また、ターンシグナルランプとして機能するときには、第２の光源用基板１７、１７、１７に搭載された全ての第２の光源３３、３３、・・・から光が点滅状態で出射される。
【００６９】
以上に記載した通り、車輌用灯具１にあっては、反射ベース１５、１５、１５にそれぞれ第１の光源用基板１６、１６、１６と第２の光源用基板１７、１７、１７が取り付けられた状態において反射ベース１５、１５、１５がそれぞれ取付部材１１に取り付けられ、取付部材１１に反射ベース１５、１５、１５が取り付けられた状態において取付部材１１が配置用凹部６に挿入されてランプハウジング２に取り付けられる。
【００７０】
従って、複数のランプユニット１４、１４、１４が取付部材１１に取り付けられた状態において取付部材１１がランプハウジング２に取り付けられることによりランプユニット１４、１４、１４がランプハウジング２に組み付けられるため、ランプユニット１４、１４、１４のランプハウジング２に対する組付作業における作業性の向上を図ることができる。
【００７１】
また、配置凹部６に第１の光源用基板１６、１６、・・・、第２の光源用基板１７、１７、・・・及び第３の光源用基板３８、３８、・・・と点消灯制御を行う制御回路基板１２とが各別に配置されている。
【００７２】
従って、第１の光源用基板１６、１６、・・・と第２の光源用基板１７、１７、・・・と第３の光源用基板３８、３８、・・・において発生する熱が少なく、第１の光源３２、３２、・・・と第２の光源３３、３３、・・・と第３の光源４２、４２、・・・の駆動状態の安定化を図ることができる。
【００７３】
さらに、第１の光源用基板１６、１６、・・・、第２の光源用基板１７、１７、・・・及び第３の光源用基板３８、３８、・・・と点消灯制御を行う制御回路基板１２とが取付部材１１を挟んで反対側に配置されている。
【００７４】
従って、制御回路基板１２において発生する熱の第１の光源３２、３２、・・・と第２の光源３３、３３、・・・と第３の光源４２、４２、・・・に対する影響が取付部材１１によって抑制され、第１の光源３２、３２、・・・と第２の光源３３、３３、・・・と第３の光源４２、４２、・・・の一層の駆動状態の安定化を図ることができる。
【符号の説明】
【００７５】
１…車輌用灯具、２…ランプハウジング、３…カバー、６…配置用凹部、６ａ…開口、１１…取付部材、１３…ランプ構造体、１４…ランプユニット、１５…反射ベース、１６…第１の光源用基板、１７…第２の光源用基板、３２…第１の光源、３３…第２の光源、３８…第３の光源用基板
【図１】
2015082366.tif 000003
【図２】
2015082366.tif 000004
【図３】
2015082366.tif 000005
【図４】
2015082366.tif 000006
【図５】
2015082366.tif 000007
【図６】
2015082366.tif 000008
【図７】
2015082366.tif 000009